(57)【要約】【課題】送風機能を改善した整流部材を提供する。【解決手段】ファンを有する送風装置の送風方向前面に取り付けられる整流部材である。少なくとも一対の板２３，２４，３３，３４を有する基部２２，３２と、基部２２，３２から延設され、ファンからの風を整流可能な複数の整流板５１，５２，５３，５４，５５ａ，５５ｂ，５６，５７，５８，５９と、を備えている。送風装置に取り付けられた場合に、板２３，２４，３３，３４の立設方向が送風方向に向かった姿勢である第１姿勢と、板２３，２４，３３，３４のファンに対向する側の面が送風方向に対して傾斜し、板２３，２４，３３，３４どうしがファンの側で近接し、ファンから離れるにつれて離間する姿勢であり、且つ、整流板５１，５２，５３，５４，５５ａ，５５ｂ，５６，５７，５８，５９のうちの少なくとも一部がファンの中心側から外側へファンに向かって延びる姿勢である第２姿勢とに変更可能である。【選択図】図５
2020125715.tif 000002
【特許請求の範囲】
【請求項１】
ファンを有する送風装置の送風方向前面に取り付けられる整流部材であって、
前記送風装置に取り付けられた場合に前記ファンに対向する側の面が前記送風方向に対して傾斜し、かつ、前記ファンの側で近接し、前記ファンから離れるにつれて離間する一対の板を備える基部と、
前記送風装置に取り付けられた場合に前記ファンの中心側から外側へ前記ファンに向かって延びるように前記基部から延設された、前記ファンからの風を整流する複数の整流板と、を備える整流部材。
【請求項２】
前記整流部材は、前記板が平行であると仮定した場合にも、前記ファンからの風を整流可能である、請求項１に記載の整流部材。
【請求項３】
前記送風装置は、前記ファンの送風方向前方に配置された風を遮蔽可能な板状のガード板、又は前記ファンの回転軸の前方に配置された板状のガード板を有するものであり、
前記ガード板に取り付け可能な取付部を備える、請求項１又は２に記載の整流部材。
【請求項４】
ファンを有する送風装置の送風方向前面に取り付けられる整流部材であって、
少なくとも一対の板を有する基部と、
前記基部から延設され、前記ファンからの風を整流可能な複数の整流板と、を備え、
前記送風装置に取り付けられた場合に、前記板が前記ファンの前面を横切り前記送風方向に向かって立設する姿勢である第１姿勢と、
前記送風装置に取り付けられた場合に、前記板の前記ファンに対向する側の面が前記送風方向に対して傾斜し、前記板どうしが前記ファンの側で近接し、前記ファンから離れるにつれて離間する姿勢であり、且つ、前記整流板のうちの少なくとも一部が前記ファンの中心側から外側へ前記ファンに向かって延びる姿勢である第２姿勢と、に変更可能である、整流部材。
【請求項５】
前記送風装置に取り付けた場合に、前記第１姿勢における前記基部と前記送風装置との距離は、前記第２姿勢における前記基部と前記送風装置との距離よりも短い、請求項４に記載の整流部材。
【請求項６】
前記送風装置は、前記ファンの送風方向前方に配置された風を遮蔽可能な板状のガード板、又は前記ファンの回転軸の前方に配置された板状のガード板を有するものであり、
前記板部に取り付け可能な取付部を備え、
前記取付部は、前記基部を第１姿勢で保持可能な第１保持部と、前記基部を前記第２姿勢で保持可能な第２保持部と、を備える、請求項４又は５の整流部材。
【請求項７】
前記第２保持部は、前記基部の前記送風装置と対向する側に取り付けられる、請求項６に記載の整流部材。
【請求項８】
前記第１保持部及び前記第２保持部の少なくとも一方は、前記取付部に着脱可能に取り付けられる、請求項６又は７に記載の整流部材。
【請求項９】
前記取付部は吸盤を備える、請求項３、６−８のいずれか１項に記載の整流部材。
【請求項１０】
前記基部に両端が接続される外周部を備え、
前記外周部の前記両端の間に前記整流板の外側の端部が接続されている、請求項１−９のいずれか１項に記載の整流部材。
【発明の詳細な説明】
【技術分野】
【０００１】
本発明は、ファンを備える送風装置の送風方向前面に取り付けて用いられる整流部材に関する。
【背景技術】
【０００２】
従来、ファンを有する送風装置に取り付けられ、送風装置の送風機能を変化させることが可能な整流部材が用いられている。このような整流部材として、特許文献１に記載の整流部材がある。特許文献１の整流部材は、扇風機のファンの送風方向前面に取り付けられて用いられ、整流板の角度を変化させることで風速を低下させつつ送風方向を変化させることができる。
【先行技術文献】
【特許文献】
【０００３】
【特許文献１】特開２０１０−２４８８８号公報
【発明の概要】
【発明が解決しようとする課題】
【０００４】
特許文献１に記載の整流部材を扇風機に取り付けることで、送風方向を変化させることはできるものの、扇風機を使用する者が要求する機能はこれに限られず、様々な機能を要求することが想定される。
【０００５】
本発明は、上記課題を解決するためになされたものであり、その主たる目的は、送風機能を改善した整流部材を提供することにある。
【課題を解決するための手段】
【０００６】
第１の構成は、ファンを有する送風装置の送風方向前面に取り付けられる整流部材であって、送風装置に取り付けられた場合にファンに対向する側の面が送風方向に対して傾斜し、かつ、ファンの側で近接し、ファンから離れるにつれて離間する一対の板を備える基部と、送風装置に取り付けられた場合にファンの中心側から外側へファンに向かって延びるように基部から延設された、ファンからの風を整流する複数の整流板と、を備える。
【０００７】
この第１の構成では、送風装置から発せられた風が、基部が備える板のそれぞれに沿って、その基部に設けられた整流板へ向かう。そして、その整流板により整流された風が、整流部材の送風装置と対向する側の反対側へ通過することとなる。したがって、送風装置の風量の減少を抑制しつつ複数の方向へ向けた風を発生させることができる。
【０００８】
第２の構成では、第１の構成に加えて、整流部材は、板が平行であると仮定した場合にも、ファンからの風を整流可能である。
【０００９】
板が平行であると仮定した場合にもファンからの風を整流可能であれば、板を傾斜させたとしても、傾斜させた方向へ向けて整流した風を送風することができる。
【００１０】
第３の構成では、第１又は第２の構成に加えて、送風装置は、ファンの送風方向前方に配置された風を遮蔽可能な板状のガード板、又はファンの回転軸の前方に配置された板状のガード板を有するものであり、ガード板に取り付け可能な取付部を備える。
【００１１】
この第３の構成では、取付部が風を遮ることによる風量の低下を抑制することができる。また、ガード板が風を遮蔽可能であるため、整流部材をガード板に取り付けた場合に、風により取り付けが不安定になる事態を抑制することができる。
【００１２】
第４の構成は、ファンを有する送風装置の送風方向前面に取り付けられる整流部材であって、少なくとも一対の板を有する基部と、基部から延設され、ファンからの風を整流可能な複数の整流板と、を備え、送風装置に取り付けられた場合に、板の立設方向が送風方向に向かった姿勢である第１姿勢と、送風装置に取り付けられた場合に、板のファンに対向する側の面が送風方向に対して傾斜し、板どうしがファンの側で近接し、ファンから離れるにつれて離間する姿勢であり、且つ、整流板のうちの少なくとも一部がファンの中心側から外側へファンに向かって延びる姿勢である第２姿勢と、に変更可能である。
【００１３】
この第４の構成では、第１の構成の機能を第２姿勢で実現しつつ、第１姿勢とすることで第２の構成に相当する機能を付与することができるため、必要に応じて整流部材の機能を変更することが可能となる。
【００１４】
第５の構成は、第４の構成に加えて、送風装置に取り付けた場合に、第１姿勢における基部と送風装置との距離は、第２姿勢における基部と送風装置との距離よりも短い。
【００１５】
第２姿勢では、板部が傾斜しているため、基部と送風装置の間には一定の距離が必然的に生じるが、第１姿勢においてこの距離と同等の距離だけ送風装置から離間させた場合、側方から空気が流出して整流部材を通過する風量が低下する場合がある。この点、第５の構成では、第１姿勢における基部と送風装置との距離を第２姿勢よりも短くしているため、整流部材を通過する風量の低減を抑制することができる。
【００１６】
第６の構成では、第４又は第５の構成に加えて、送風装置は、ファンの送風方向前方に配置された風を遮蔽可能な板状のガード板、又はファンの回転軸の前方に配置された板状のガード板を有するものであり、板部に取り付け可能な取付部を備え、取付部は、基部を第１姿勢で保持可能な第１保持部と、基部を第２姿勢で保持可能な第２保持部と、を備える。
【００１７】
この第６の構成では、第３の構成と同等の効果を第５又は第６の構成の整流部材に付与することができる。
【００１８】
第７の構成では、第６の構成に加えて、第２保持部は、基部の送風装置と対向する側に取り付けられる。
【００１９】
板部が傾斜した第２姿勢では、整流部材と送風装置との間に空間が生ずる。この点、第７の構成では、整流部材と送風装置との間の空間に取付部を配置することが可能であるため、空間を有効に活用することができ、且つ、整流部材の前面からの取付部の突出を抑制することができる。
【００２０】
第８の構成では、第６又は第７の構成に加えて、第１保持部及び第２保持部の少なくとも一方は、取付部に着脱可能に取り付けられる。
【００２１】
取付部が複数の保持機能を有する場合、各機能を発揮するために必要な構造が複雑化するため、取付部が大きくなり、送風装置に取り付ける場合に取付部が前方側から突出したりする場合がある。この点、第８の構成では、第１保持部及び第２保持部の少なくとも一方が取付部に着脱可能であるため、必要に応じて取付部の構成する部材を省くことができ、送風装置に取り付けた場合における取付部の突出等を抑制することができる。
【００２２】
第９の構成では、第３、第６−８のいずれかの構成に加えて、取付部は吸盤を備える。
【００２３】
取付部を吸盤を備えるものとすることで、板部が樹脂等の非磁性体で形成されていたとしても、整流部材を送風装置に取り付けることができる。
【００２４】
第１０の構成では、第１−９のいずれかの構成に加えて、基部に両端が接続される外周部を備え、外周部の両端の間に整流板の外側の端部が接続されている。
【００２５】
第１０の構成では、基部と外周部とにより整流板の両端が保持されることとなるため、整流部材全体の強度を向上させることができる。
【図面の簡単な説明】
【００２６】
【図１】整流部材全体を示す図である。
【図２】第１本体部材及び第２本体部材の正面図である。
【図３】第１本体部材及び第２本体部材の背面図である。
【図４】本体部材を傾斜させた場合の正面図である。
【図５】本体部材を傾斜させた場合の背面図である。
【図６】第１保持部の斜視図である。
【図７】第１保持部の平面図である。
【図８】第２保持部の斜視図である。
【図９】第２保持部の正面図である。
【図１０】第２保持部の平面図である。
【図１１】取付部を構成する吸盤及び雄ネジ部の斜視図である。
【図１２】取付部を構成する吸盤及び雄ネジ部の平面図である。
【図１３】取付部を構成するカバー部の斜視図である。
【図１４】取付部全体の斜視図である。
【図１５】取付部全体の平面図である。
【図１６】第１姿勢での取り付け方と示す側面図である。
【図１７】第１姿勢で扇風機に取り付けた場合の平面図である。
【図１８】第２姿勢での取り付け方を示す側面図である。
【図１９】第２姿勢で扇風機に取り付けた場合の平面図である。
【発明を実施するための形態】
【００２７】
以下、各実施形態を図面に基づいて説明する。なお、以下の各実施形態相互において、互いに同一もしくは均等である部分には、図中、同一符号を付しており、同一符号の部分についてはその説明を援用する。
【００２８】
本実施形態に係る整流部材１０は、図１に示すように、送風装置である扇風機１００の、ファン１０１の周囲を囲むガード１０２に設けられたガード板１０３に取り付けられて使用されるものである。扇風機１００のファン１０１は、一般的には、正面から見て右回りに回転するため、本実施形態における整流部材１０が取り付けられる扇風機１００についても、ファン１０１が右回りに回転するものとして説明する。整流部材１０について、以下の説明では、取り付けられた際にファン１０１に対向する側を背面と称し、その反対側を正面と称し、扇風機１００に取り付けられた場合に地面や床等と対向する側を下側と称し、その反対側を上側と称する。また、背面側から正面側への方向、すなわち、ファン１０１の回転により生じた風が向かう方向を送風方向と称し、その送風方向について向きを特定する必要ながない場合には前後方向と称す。なお、以下の整流部材１０の説明において、材質に特に言及がない場合には、ポリプロピレンである。
【００２９】
まず、図２及び図３を参照して、整流部材１０を構成する第１本体部材２０について説明する。第１本体部材２０は、正面視及び背面視にて、半円弧状すなわち中心角が１８０°であり、厚み及び前後方向の幅が略均一な、前後方向に対して平行な曲面を形成する外側壁部２１を備えている。その外側壁部２１の両端は、基部２２を介して接続されている。基部２２は、外側壁部２１の一方の端部に接続され、正面視にてその端部から円弧の中心方向へ垂直に延び、長さが円弧の半径よりも小さく、外側壁部２１と厚み及び幅が略同等の、前後方向に対して平行な平面を形成する第１板部２３を備えている。また、基部２２は、外側壁部２１の他方の端部に接続され、正面視にてその端部から円弧の中心へと垂直に延びる、第１板部２３と同形状の第２板部２４を備えている。
【００３０】
基部２２は、第１板部２３及び第２板部２４の、外側壁部２１と接続される側とは反対の側の端部にそれぞれ接続された、内側壁部２５，２６を備えている。内側壁部２５，２６は対称な形状であり、中心角が９０°よりも小さく、外側壁部２１と中心を共有し且つ外側壁部２１と平行な円弧状であり、厚み及び幅は外側壁部２１、第１板部２３、及び第２板部２４と等しい。また、基部２２は、内側壁部２５，２６の、第１板部２３、第２板部２４と接続される側とは反対側の端部どうしを接続する、外側壁部２１の内周面側へと突出した形状の矩形部２７を備えている。この矩形部２７は、内側壁部２５の端部と内側壁部２６の端部に一端が接続された、第１板部２３及び第２板部２４に対して垂直な一対の短辺と、その短辺の他方の端部どうしを繋ぐ、第１板部２３及び第２板部２４と平行な長辺とで構成されており、厚み及び幅は、外側壁部２１等と等しい。
【００３１】
矩形部２７の背面側には、背面側から正面側へ垂直に窪んだ、長方形の切れ込み２８が等間隔で２か所設けられている。また、外側壁部２１の外周面における第２板部２４との接続点の近傍には、側面視にて背面側から正面側へ向けて屈曲したＬ字型の引っ掛け部２９が設けられている。この引っ掛け部２９と外側壁部２１の外周面との間隔は、外側壁部２１等の厚みと略等しい。
【００３２】
一方、第２本体部材３０は、第１本体部材２０と同様に、外側壁部３１、基部３２及び引っ掛け部３８を備えており、基部３２は、第１板部３３、第２板部３４、内側壁部３５，３６，矩形部３７を含んで構成されている。また、矩形部３７には切れ込み３８が設けられている。これらの形状は第１本体部材２０におけるそれぞれと対称な形状であるため、具体的な説明は省略する。
【００３３】
これら第１本体部材２０と第２本体部材３０とは、第１本体部材２０の第１板部２３の背面側の端部と第２本体部材３０の第１板部３３の背面側の端部とを接続する第１接続部４３と、第１本体部材２０の第２板部２４の正面側の端部と第２本体部材３０の第２板部３４の正面側の端部とを接続する第２接続部４４とにより接続されている。これら第１接続部４３及び第２接続部４４は、湾曲若しくは屈曲可能な程度に柔軟に形成されている。すなわち、第１接続部４３及び第２接続部４４を軸として、第１本体部材２０の第１板部２３及び第２板部２４と、第２本体部材の第１板部３３及び第２板部３４との角度を変化させることが可能である。
【００３４】
以上のように構成される第１本体部材２０の外側壁部２１と基部２２とに囲まれる領域、及び、第２本体部材３０の外側壁部３１と基部３２とに囲まれる領域に囲まれる領域には、厚みが均一な板状の整流板５１，５２，５３，５４，５５ａ，５５ｂ，５６，５７，５８，５９が、等間隔で設けられている。これら整流板５１，５２，５３，５４，５６，５７，５８，５９における、基部２２，３２との接続箇所、及び、外側壁部２１，３１との接続箇所は、背面側から正面側へ向けて同一の周方向へ傾斜した略直線状となっており、その傾斜角は、正面側のほうが小さくなっている。また、整流板５１，５２，５３，５４，５６，５７，５８，５９の前後方向に垂直な面での断面は、曲率が一定であり且つ、右回りの側が膨らんだ弧状となっている。外側壁部２１，３１及び基部２２，３２とこのように接続されているため、これら整流板５１，５２，５３，５４，５６，５７，５８，５９はいずれも正面側から見て左周りの方向へと湾曲した形状である。
【００３５】
第１本体部材２０において最も下方に設けられている整流板５５ａは、一方の端部は内側壁部２６に接続されているものの、他の整流板５１，５２，５３，５４，５６，５７，５８，５９と同形状であるがゆえに、他方の端部は外側壁部２１まで到達せず、第２板部２４に接続されている。また、第２本体部材３０において最も下方に設けられている整流板５５ｂは、基部３２側の端部が第２板部３４に接続されており、他方の端部は外側壁部３１に接続されている。この整流板５５ｂの第２板部３４との接続箇所は、上下の位置において、整流板５５ａが第２板部２４と接続される位置と略等しい。このように整流板５５ａ，５５ｂが設けられているため、正面視及び背面視にて、第１本体部材２０の整流板５５ａと第２本体部材３０の整流板５５ｂが連続的に湾曲しているように視認でき、整流板５５ａ，５５ｂ全体の形状は、他の整流板５１，５２，５３，５４，５６，５７，５８，５９と略同等であるといえる。
【００３６】
整流板５１，５２，５３，５４，５５ａ，５５ｂ，５６，５７，５８，５９がこのように設けられているため、正面から見た場合、整流板５１，５２，５３，５４，５５ａ，５５ｂ，５６，５７，５８，５９の湾曲方向とは反対の側の面が視認できる。すなわち、第１本体部材２０では、概ね、整流板５１，５２，５３，５４，５５ａの上側の面が視認でき、第２本体部材３０では、概ね、整流板５５ｂ，５６，５７，５８，５９の下側の面が視認できる。
【００３７】
以上説明した第１本体部材２０及び第２本体部材３０について、第１接続部４３及び第２接続部４４を屈曲させ、上側若しくは下側から見て第１板部２３，３３どうしの角度、及び、第２板部２４，３４どうしの角度が９０度である場合について、図４及び図５を参照して説明する。この場合には、基部２２，３２どうしが背面側で近接しており、正面側へ向かうにつれ徐々に離間している。また、基部２２，３２の整流板５１，５２，５３，５４，５５ａ，５５ｂ，５６，５７，５８，５９が設けられる側の面は背面側から視認可能となる。
【００３８】
続いて、第１本体部材２０及び第２本体部材３０に取り付けられて用いられる第１保持部６０、第２保持部７０及び取付部８０について説明する。第１保持部６０は、図６及び図７に示すように、厚みが略均一である円筒状の第１筒部６１を備えている。この第１筒部６１の外径は、第１本体部材２０の内側壁部２５，２６及び第２本体部材３０の内側壁部２５，２６の外面で形成される円の直径と略等しい。
【００３９】
この第１筒部６１の一方の開口には、その開口の一部を閉塞するように、第１筒部６１側とは反対の側が閉塞された有底筒状の凸部６２が設けられている。この凸部６２は、第１筒部６１と中心軸を共有しており、外周の形状が角丸長方形であり、対角線の長さは第１筒部６１の直径よりも小さい。第１筒部６１の凸部６２が設けられる側の開口の外側面には、その開口側から反対の開口側へと屈曲した、上側及び下側から見て逆Ｌ字型の、厚みが略均一な板状の返し６３が設けられている。この返し６３と第１筒部６１の外側面との間隔は、第１本体部材２０、第２本体部材３０の矩形部２７，３７の厚みと略等しい。
【００４０】
続いて、図８−１０を参照して、第２保持部７０について説明する。第２保持部７０は、厚みが略均一であり、内周の形状が第１保持部６０の凸部６２の外周の形状と略等しい角丸長方形である、筒状の第２筒部７１を備えている。この第２筒部７１の厚みは、第１本体部材２０及び第２本体部材３０における、引っ掛け部２９，３９と外側壁部２１，３１の外周面との間の幅と略等しい。
【００４１】
その第２筒部７１の一方の開口における短辺のそれぞれには、傾斜部７２，７３が設けられている。この傾斜部７２，７３は、厚みが第２筒部７１と等しく均一であり、第２筒部７１の短辺を長辺とする長方形である。また、傾斜部７２，７３の短辺の長さは、第１本体部材２０及び第２本体部材３０の矩形部２６，３６に設けられた切れ込み２８，３８の長さと略等しい。傾斜部７２，７３のそれぞれと第２筒部７１の短辺側の面との角度は、上側及び下側すなわち第３筒部７１の長辺の面側から見て、１３５°である。すなわち、傾斜部７２，７３どうしの角度は、上側及び下側から見て、９０°である。
【００４２】
これら傾斜部７２，７３の、第２筒部７１の短辺の面側へ向いた面には、傾斜部７２，７３の短辺と平行に延びる略直方体の軸部７４が、それぞれ２つずつ設けられている。この軸部７４の幅は、本体部材２０，３０の切れ込み２８，３８の幅と略等しく、軸部７４の高さは、本体部材２０，３０の矩形部２７，３７の厚みと略等しい。また、各傾斜部７２，７３における軸部７４どうしの間隔は、切れ込み２８，３８の間隔と略等しい。この軸部７４の傾斜部７２，７３と反対の側には、軸部７４よりも拡幅された拡幅部７５が設けられている。
【００４３】
続いて、図１１〜１５を参照して、取付部８０についての説明をする。取付部８０は、塩化ビニールで形成された、中心が窪んだ円形の吸盤８１を備えている。この吸盤８１の窪んだ側の反対側の中心には、円筒の側面に螺旋状の凸部が設けられた雄ネジ部８２が接続されている。
【００４４】
この取付部８０は、円筒形の第３筒部８３と、その第３筒部８３の一方の開口を共有し、その反対側の端には底よりも径の小さい開口を有する略円錐台筒状の円錐筒部８４と、第３筒部８３の他方の開口の周囲に拡径して設けられたフランジ部８５を有するカバー部８６を備えている。フランジ部８５の外径は、吸盤８１の直径と略等しく、第３筒部の外径は、第１保持部６０の第１筒部６１の内径と略等しい。また、円錐筒部８４の側面には、周方向に連続する、凹凸が設けられている。カバー部８６の円錐筒部における小径側の開口近傍には、縮径された内側フランジ８７が設けられており、その内側フランジ８７の内周面には、螺旋状に連続する雌ネジ部８８が形成されている。その雌ネジ部８８の径は雄ネジ部８２の螺旋状の凸部と係合する径である。
【００４５】
以上のように取付部８０を構成する各部材が形成されているため、雄ネジ部８２を雌ネジ部８８に係合させた場合に、カバー部８６の第３筒部８３の開口の周囲が、吸盤８１の雄ネジ部８２側に当接する。そして、吸盤８１を板などに吸着させて固定した状態でカバー部８６を回転させると、その回転に伴って雄ネジ部８２が雌ネジ部８８に引き込まれ、吸盤８１がカバー部８６側へと引っ張られる。これにより、吸盤８１と、吸盤８１が取り付けられた板との間の体積が大きくなってその空間の気圧が低下し、吸盤８１の吸着力が向上する。
【００４６】
以上のように構成される整流部材は、扇風機１００のファン１０１の送風方向前面に設けられたガード板１０３に対して取り付けられる。この取り付け方として、本実施形態では、第１本体部材２０及び第２本体部材の第１板部２３，３３どうし、及び、第２板部２４，３４どうしが平行である第１姿勢と、第１板部２３，３３どうしと、第２板部２４，３４どうしが平行でない第２姿勢のいずれかの姿勢を選択して取り付けることができる。
【００４７】
まず、第１姿勢について、図１６を参照して説明する。図１６では、本体部材２０及び３０の取り付け方を明確にすべく、第２本体部材３０を省いて図示している。最初に、取付部８０の吸盤８１を扇風機１００のガード板１０３に吸着させ、カバー部８６を回転させることで、取付部８０をガード板１０３に固定する。続いて、第１板部２３，３３どうし、及び、第２板部２４，３４どうしを平行とし、取付部８０のカバー部８６を、内側壁部２５，２６，３５，３６及び矩形部２７，３７の外側で囲まれる領域に、背面側から通す。そして、その領域の正面側から、第１保持部６０の第１筒部６１を通す。このとき、第１筒部６０の外周面と返し６３との間に矩形部２７，３７が嵌まり込み、第１筒部６１の内周面に第３筒部８３の外周面が嵌まり込む。こうして、第１板部２３，３３どうし、及び、第２板部２４，３４どうしが平行な状態で、第１本体部材２０及び第２本体部材３０に第１保持部６０及び取付部８０が取り付けられることになる。なお、第２保持部７０については、第１姿勢では使用しないため、引っ掛け部２９，３９と外側壁部２１，３１との間に保持しておくことができる。
【００４８】
整流部材１０をこの第１姿勢とし、扇風機１００のガード板１０３に取り付けた場合、について、図１７を参照して説明する。このとき、正面側から見た第１本体部材２０及び第２本体部材３０は、図３に示したものと同等であり、扇風機１００のファン１０１は右方向に回転するため、整流板５１，５２，５３，５４，５５ａ，５５ｂ，５６，５７，５８，５９は、ファン１０３の回転方向とは反対方向に湾曲する形状であるといえる。第１本体部材２０及び第２本体部材３０の第１板部２３，３３及び第２板部２４，３４は、それぞれ互いに平行であり、且つ、扇風機１００の送風方向に沿って立設している。また、扇風機１００のガード１０２は、中心から外側へ向けて、送風方向とは逆方向へと湾曲していく形状である。したがって、図示のとおり、整流部材１０と扇風機１００とは、ガード板１０３の近傍で最も近接し、外側へ向かうにつれて離間している。
【００４９】
次に、第２姿勢について、図１８を参照して説明する。図１８でも、図１６と同様に、第２本体部材３０を省いて図示している。最初に、取付部８０の吸盤８１を扇風機１００のガード板１０３に吸着させ、カバー部材８６を回転させることで、取付部８０をガード板１０３に固定する。続いて、第２保持部７０の傾斜部７２，７３の軸部７４を、それぞれ、第１本体部材２０の矩形部２７の切れ込み２８、第２本体部材３０の矩形部３７の切れ込み３８に嵌め合わせる。このとき、矩形部２７，３７は、第２保持部７０の傾斜部７２，７３と、拡幅部７５とに挟み込まれる。これで、第１板部２３，３３どうしの角度、及び、第２板部２４，３４どうしの角度が、上側及び下側から見て、９０°に固定される。次に、第２保持部７０の第２筒部７１の内側に、第１保持部６０の凸部６２を嵌め込む。また、第１保持部６０の第１筒部６１の内側には、取付部８０の第３筒部８３を嵌め込む。こうすることで、整流部材１０を第２姿勢に固定した状態で、扇風機１００のガード板１０３に取り付けることができる。
【００５０】
整流部材１０をこの第２姿勢とし、扇風機１００のガード板１０３に取り付けた場合について、図１８を参照して説明する。このとき、扇風機１００側すなわち背面側から見た整流部材１０の第１本体部材２０及び第２本体部材３０は、図５に示したものと同等である。第１本体部材２０及び第２本体部材３０の第１板部２３，３３及び第２板部２４，３４は、それぞれ、扇風機１００の送風方向から４５°傾斜して立設している。これにより、第１板部２３，３３及び第２板部２４，３４の、扇風機１００のファン１０２に対向する側の面、すなわち、背面側から視認できる側の面は、扇風機１００の送風方向に対して傾斜している。第１本体部材２０及び第２本体部材３０が扇風機１００の送風方向から上記のように傾斜しているため、整流板５１，５２，５３，５４，５５ａ，５５ｂ，５６，５７，５８，５９うち、特に整流板５２，５３，５６，５７については、ファン１０３に対して中心側よりも外周側で近接しているといえる。すなわち、これら整流板５２，５３，５６，５７は、ファン１０３の中心側から外側へ向けて、ファン１０３に向かって延びているといえる。
【００５１】
また、第１板部２３，３３どうし及び第２板部２４，３４どうしは、扇風機１００に近い背面側で近接しており、扇風機１００から離れるにつれて離間していく。第１板部２３，３３どうし、及び第２板部２４，３４どうしは、背面側すなわち扇風機１００側では近接しており、正面側へ向かうにつれて、すなわち扇風機１００から離れるについて、離間している。これにより、第１板部２３，３３及び第２板部２４，３４の、背面側の面、すなわち扇風機１００に対向する側の面は、送風方向に対して傾斜している。
【００５２】
また、上側及び下側から見れば、外側壁部２１，３１の左右端の背面側が扇風機１００のガード１０２に近接し、基部２２はガード１０３から離間している。すなわち、基部２２とガード板１０３との距離は、第１姿勢よりも大きくなっている。これにより、ガード板１０３の送風方向の前面において、整流部材１０とガード板１０３との間に空間が生じている。そして、この空間に第１保持部６０、第２保持部７０、及び取付部８０が配置される。
【００５３】
以上、第１姿勢及び第２姿勢とするための各部材の組み合わせについて説明したが、組み合わせの手順については上記のものに限られず、変更してもよい。なお、第１保持部６０及び第２保持部７０は、取付部８０と組み合わせて用いるものであるため、取付部８０が第１保持部６０及び第２保持部７０を備えると言うこともできる。
【００５４】
上記構成により、本実施形態に係る整流部材１０は、以下の効果を奏する。
【００５５】
・第２姿勢において、扇風機１００から発せられた風が、第１板部２３，３３、及び第２板部２４，３４のそれぞれに沿って、整流板５１，５２，５３，５４，５５ａ，５５ｂ，５６，５７，５８，５９へ向かう。そして、その整流板５１，５２，５３，５４，５５ａ，５５ｂ，５６，５７，５８，５９により整流された風が、整流部材１０の扇風機１００と対向する側の反対側へ通過することとなる。したがって、扇風機１００から発せられた風量の減少を抑制しつつ複数の方向へ向けた風を発生させることができる。
【００５６】
・整流板５１，５２，５３，５４，５５ａ，５５ｂ，５６，５７，５８，５９の形状について、第１板部２３，３３どうし及び第２板部２４，３４どうしが平行である場合に、扇風機１００からの風を整流可能な形状としているため、第１姿勢及び、その第１姿勢から第１板部２３，３３及び第２板部２４，３４を傾斜させた第２姿勢のいずれにおいても、風を加速させつつ送風を行うことができる。
【００５７】
・取付部８０を扇風機１００のガード板１０３に取り付けるものとしているため、取付部８０が風を遮ることによる風量の低下を抑制することができる。また、ガード板１０３が風を遮蔽可能であるため、整流部材１０をガード板１０３に取り付けた場合に、風により取り付けが不安定になる事態を抑制することができる。
【００５８】
・整流部材１０の姿勢について、第１姿勢と第２姿勢との一方を選択可能であるため、一方向に加速させて送風する必要がある場合と、２方向に送風する必要がある場合とで使い分けることができる。
【００５９】
・第２姿勢では、本体部材２０，３０が傾斜しているため、基部２２，３２と扇風機１００との間には一定の距離が必然的に生じるが、第１姿勢においてこの距離と同等の距離だけ扇風機１００から離間させた場合、側方から空気が流出して整流部材１０を通過する風量が低下する場合がある。この点、第１姿勢における基部２２，３２と扇風機１００との距離を第２姿勢よりも短くしているため、整流部材１０を通過する風量の低減を抑制することができる。
【００６０】
・第２姿勢では、整流部材１０と送風装置１００との間に空間が生じており、この空間に第１保持部６０、第２保持部７０、及び取付部８０を配置することが可能であるため、空間を有効に活用することができ、且つ、整流部材１０の正面側における第１保持部６０、第２保持部７０、及び取付部８０の突出を抑制することができる。
【００６１】
・第２保持部７０が取付部８０に着脱可能であり、且つ、第１姿勢では第２保持部７０を使用しないため、第１姿勢における、整流部材１０の正面からの第２保持部７０の突出等を抑制することができる。
【００６２】
・取付部８０を吸盤８１を備えているため、ガード板１０３が樹脂等の非磁性体で形成されていたとしても、整流部材１０を扇風機１００に取り付けることができる。
【００６３】
・外側壁部２１，３１を備えているため、整流部材１０へ流入した風の整流部材１０の周囲への流出を抑制でき、送風すべき方向への風量の低減を抑制することができる。
【００６４】
・第１保持部６０の第１筒部６１の内径と取付部８０の第３筒部８３の外径とが、略等しいため、取付部８０に対する第１保持部６０の中心軸周りの角度を自在に変更することができる。すなわち、特に第２姿勢において、第１本体部材２０及び第２本体部材３０に第１保持部６０及び第２保持部７０を取り付けた状態、及び、ガード板１０３に取付部８０を取り付けた状態を維持しつつ、取付部８０から第１保持部６０を取り外し、取付部８０に対する第１保持部６０の中心軸周りの角度を変更して取り付けることができる。これにより、第２姿勢における送風方向を容易に変更することが可能となる。
【００６５】
＜変形例＞
・実施形態では、第１本体部材２０と第２本体部材３０とにより、送風方向を２方向に変更するものとしているが、本体部材を３以上設け、３方向以上に送風可能とするものとしてもよい。例えば、外側壁部の中心角が１２０°となるように本体部材を３つ設け、周方向に隣接する本体部材の基部が有する板部どうしが平行な姿勢と、傾斜した姿勢とに選択可能なものとしてもよい。この場合には、天井等に取り付けられる送風装置のような、送風方向を複数に変更することが求められる場合等に特に有効である。
【００６６】
・実施形態では、第２姿勢において、第１板部２３，３３どうしの角度及び第２板部２４，３４同士の角度を９０°としたが、角度はこれに限られず、種々の変更が可能である。また、実施形態では、第１板部２３，３３どうし及び第２板部２４，３４どうしが平行である第１姿勢と、第１板部２３，３３どうしの角度及び第２板部２４，３４どうしの角度が９０°である第２姿勢との一方の姿勢とするものとしたが、角度が異なる３以上の姿勢に変更可能なものとしてもよい。この場合には、第１保持部６０や第２保持部７０の形状を、各姿勢に対応するように変更してもよいし、さらに他の形状の保持部を追加したり、第１保持部６０や第２保持部７０を他の形状の保持部と入れ替えるものとしたりしてもよい。
【００６７】
・実施形態では、第１姿勢と第２姿勢との一方に変形させて用いるものとしたが、第１姿勢又は第２姿勢に予め固定され、その姿勢からから変形できないものとしてもよい。これらの場合には、整流板の形状について各姿勢に特化したものとすることができ、例えば、第２姿勢に予め固定されるものとした場合については、整流板が各本体部材の中心から放射状に設けられるもの等としてもよい。
【００６８】
・実施形態では、整流板５１，５２，５３，５４，５５ａ，５５ｂ，５６，５７，５８，５９について、正面視にて左回りに湾曲する形状としたが、右回りに湾曲するものとしてもよいし、湾曲させなくてもよい。これらの場合でも、第１姿勢では一定の整流効果は期待できるし、第２姿勢では風が整流板に沿って正面側から吹き出すため、風を複数方向へ向かわせるという一定の効果を得ることができる。また、整流板の形状をすべて同等の形状とすることは必須ではなく、等間隔に設けなくてもよい。
【００６９】
・第１保持部６０及び第２保持部７０の少なくとも一方について、取付部８０から取り外し可能とせず、取付部８０に設けるものとしてもよい。
【００７０】
・実施形態では第１保持部６０と第２保持部７０とを別体としたが、一体としてもよい。
【００７１】
・実施形態では、取付部８０と第１保持部６０及び第２保持部７０とを組み合わせるものとしたが、第１保持部６０及び第２保持部７０の少なくとも一方を取付部８０と組み合わせて用いるものとせず、同等の機能を有する部材により、第１姿勢又は第２姿勢として保持するものとしてもよい。例えば、実施形態における第１保持部６０及び第２保持部７０の少なくとも一方の代わりに、第１本体部材２０及び第２本体部材３０の上下方向の端等を挟み込むことで第１姿勢又は第２姿勢の一方として保持する部材を設けるものとしてもよい。
【００７２】
・実施形態では、第１保持部６０を本体部材２０，３０の正面側から嵌め込むものとしたが、背面側から嵌め込むものとしてもよい。同様に、第２保持部７０を本体部材２０，３０の背面側から嵌め込むものとしたが、正面側から嵌め込むものとしてもよい。また、第１保持部６０及び第２保持部７０の少なくとも一方を、正面側及び背面側のいずれからも嵌め込むことが可能なものとしてよい。これらの場合には、第１保持部６０、第２保持部７０について、各嵌め込み方に対応した形状としればよい。
【００７３】
・実施形態では、第１保持部６０の凸部６２の外周形状、及び、第２保持部７０の第２筒部７１の内周形状について、角丸長方形としたが、形状はこれに限られない。例えば、第１保持部６０の凸部６２の外周形状を正方形や正八角形等の正多角形とし、第２保持部７０の第２筒部７１の内周形状を、凸部の６２の外周形状と略等しい正多角形としてもよい。こうした場合には、特に第２姿勢において、第１本体部材２０及び第２本体部材３０に第２保持部７０を取り付けた状態、及び、ガード板１０３に取付部８０及び第１保持部６０を取り付けた状態を維持しつつ、第１保持部６０から第２保持部７０を取り外し、第１保持部６０に対する第２保持部７０の中心軸周りの角度を変更して取り付けることができる。これにより、第２姿勢における送風方向を容易に複数段階に変更することが可能となる。なお、第１保持部６０と取付部８０とを一体とし、第１保持部６０に対する第２保持部７０の中心軸周りの角度を複数段階又は無段階に変更できるようにしてもよい。また、取付部８０の第３筒部８３の外周形状、及び、第１保持部６０の第１筒部６１の内周形状を正多角形として、角度を複数段階に変更できるようにしてもよい。すなわち、ガード板１０３に吸着させた取付部８０を取り外すことなく第２姿勢における送風方向を変更することができる形状であればよい。
【００７４】
・実施形態では、取付部８０の吸盤８１を扇風機１００のガード板１０３に直接吸着させるものとしたが、ウレタンやシリコーン等で形成された気体非透過性のシートをあらかじめガード板１０３に張り付けておき、そのシートに吸盤を吸着させるものとしてもよい。こうすることで、吸着力をより向上させることができる。
【００７５】
・実施形態では、外側壁部２１，３１を設けるものとしたが、外側壁部２１，３１は設けなくてもよいし、外側壁部２１，３１の代わりに、円弧状に湾曲した棒状の部材を、整流板の外側どうしを連結するように設けるものとしてもよい。この場合においても、整流部材１０全体の強度が向上するという一定の効果を得ることができる。
【００７６】
・実施形態では第１本体部材２０と第２本体部材３０を接続部４３，４４により接続し、その接続部４３，４４を軸として第１本体部材２０と第２本体部材３０との角度を変更可能としたが、第１本体部材２０と第２本体部材３０とを接続せず、別体としてもよい。この場合においても、第１保持部６０や第２保持部７０を用いることで本体部材２０，３０どうしの角度を固定することができる。
【００７７】
・実施形態では、取付部８０の吸盤８１により整流部材１０を扇風機１００に取り付けるものとしたが、吸盤の代わりに磁石を設けるものとしてもよい。この場合には、ガード板が鉄等の磁性体であれば、そのまま取り付けることができる。一方、ガード板が樹脂などで形成されていたとしても、鉄板等を予めガード板に接着しておき、磁石を備える取付部をその鉄板に取り付けるものとしてもよい。また、ガード板に磁石を接着しておき、取付部に吸盤の代わりに鉄板等の磁性体又は磁石を設けるものとしてもよい。これらの場合でも、吸盤を設ける場合と同等の効果を得ることができる。
【００７８】
・実施形態では、整流部材１０を扇風機１００のガード板１０３に取り付けるものとしているが、ガード１０２等の他の部分に取り付けるものとしてもよい。この場合には、ガード板を備えない扇風機に対しても整流部材１０を取り付けることができる。
【００７９】
・実施形態では整流部材１０の取り付け対象として扇風機１００を挙げたが、サーキュレータ等のファンを備える他の送風装置に対して取り付けるものとしてもよい。また、ファンの回転方向を右回りとして説明したが、左回りでもよく、この場合でも、風を２方向に送風させるという一定の効果を得ることができる。
【符号の説明】
【００８０】
整流部材…１０、外側壁部…２１，基部…２２、第１板部…２３、第２板部…２４、外側壁部…３１，基部…３２、第１板部…３３、第２板部…３４、整流板…５１，５２，５３，５４，５５ａ，５５ｂ，５６，５７，５８，５９、第１保持部…６０、第２保持部…７０、取付部…８０、吸盤…８１、扇風機…１００、ファン…１０１、ガード板…１０３
【図１】
2020125715.tif 000003
【図２】
2020125715.tif 000004
【図３】
2020125715.tif 000005
【図４】
2020125715.tif 000006
【図５】
2020125715.tif 000007
【図６】
2020125715.tif 000008
【図７】
2020125715.tif 000009
【図８】
2020125715.tif 000010
【図９】
2020125715.tif 000011
【図１０】
2020125715.tif 000012
【図１１】
2020125715.tif 000013
【図１２】
2020125715.tif 000014
【図１３】
2020125715.tif 000015
【図１４】
2020125715.tif 000016
【図１５】
2020125715.tif 000017
【図１６】
2020125715.tif 000018
【図１７】
2020125715.tif 000019
【図１８】
2020125715.tif 000020
【図１９】
2020125715.tif 000021